(57)【要約】【課題】大地震による振動のような過大な力と変位が加わった際も、戸の軸部材が抜けて戸が転倒してしまうのを防止することができる、戸の軸部材抜止構造を提供する。【解決手段】戸としての折戸１の支持用の軸部材６が抜けて戸５が転倒してしまうのを防止する、戸の軸部材抜止構造であって、戸５の上面部に上方に向けて突出するように設けられた軸部材６の突出部分である軸本体部６２に拡径部６２ａが形成されており、軸部材６の先端部が上側の戸枠２１に設けられた上レール３内の軸受穴４１に嵌め込まれているとともに、上側の戸枠２１に固定された上側抜止部材８の切欠部８ａに拡径部６２ａが上方となるように軸部材６の軸本体部６２が嵌め込まれて、拡径部６２ａの切欠部８ａより下方への移動が規制された構成とされている。【選択図】図１
2014005701.tif 000002
【特許請求の範囲】
【請求項１】
戸の支持用の軸部材が抜けて戸が転倒してしまうのを防止する、戸の軸部材抜止構造であって、
前記戸の上面部に上方に向けて突出するように設けられた前記軸部材の突出部分に拡径部が形成されており、前記軸部材の先端部が戸枠に設けられた上レール内の軸受穴に嵌め込まれているとともに、前記戸枠に固定された上側抜止部材の切欠部に前記拡径部が上方となるように前記軸部材が嵌め込まれて、前記拡径部の前記切欠部より下方への移動が規制されていることを特徴とする戸の軸部材抜止構造。
【請求項２】
前記軸部材は、上側が開口したケーシング部と、当該ケーシング部内に付勢力付与手段により付勢力がされて収納された軸本体部とから成り、当該軸本体部が前記突出部分とされていることを特徴とする請求項１に記載の戸の軸部材抜止構造。
【請求項３】
前記軸部材の前記ケーシング部が前記戸内に埋め込まれているとともに、前記戸の上面部に前記ケーシング部の上面を押え付け、前記ケーシング部の上方への移動を規制する下側抜止部材が前記戸に固定されていることを特徴とする請求項２に記載の戸の軸部材抜止構造。
【請求項４】
前記軸部材の前記ケーシング部の上側に拡径部が設けられているともに、前記下側抜止部材に切欠部が形成され、当該切欠部に前記軸本体部が嵌め込まれていることを特徴とする請求項３に記載の戸の軸部材抜止構造。
【請求項５】
戸の支持用の軸部材が抜けて戸が転倒してしまうのを防止する、戸の軸部材抜止構造であって、
前記戸の上面部に上方に向けて突出するように設けられた前記軸部材の先端部が戸枠に設けられた上レール内の軸受穴に嵌め込まれているとともに、前記軸部材は、上側が開口したケーシング部と、当該ケーシング部内に付勢力付与手段により付勢力がされて収納された軸本体部とから成り、前記軸部材の前記ケーシング部が前記戸内に埋め込まれているとともに、前記戸の上面部に前記ケーシング部の上面を押え付け、前記ケーシング部の上方への移動を規制する下側抜止部材が前記戸に固定されていることを特徴とする戸の軸部材抜止構造。
【請求項６】
前記軸部材の前記ケーシング部の上側に拡径部が設けられているともに、前記下側抜止部材に切欠部が形成され、当該切欠部に前記軸本体部が嵌め込まれていることを特徴とする請求項５に記載の戸の軸部材抜止構造。
【請求項７】
請求項１乃至６のいずれか１項に記載の戸の軸部材抜止構造を備えていることを特徴とする戸。
【発明の詳細な説明】
【技術分野】
【０００１】
本発明は、折戸等の戸の支持用の軸部材が抜けて戸が転倒してしまうのを防止する、戸の軸部材抜止構造、及びこの軸部材抜止構造を備えた戸に関するものである。
【背景技術】
【０００２】
従来から、特許文献１等で開示されているように、折戸等の戸の支持用の軸部材（所謂ピボット）が抜けて戸が転倒してしまうのを防止する戸の軸部材抜止構造が提案されている。
【０００３】
また、特許文献２等で開示されているように、軸受材（所謂ピボット受材）をレール内に設けるバネ材と戸枠に取り付ける金具とで構成することにより、現場での軸受材の取り付けを可能とした戸の軸部材抜止構造も提案されている。
【先行技術文献】
【特許文献】
【０００４】
【特許文献１】特開２００１−３４９１２４号公報
【特許文献２】特開２０１１−２２６０６３号公報
【発明の概要】
【発明が解決しようとする課題】
【０００５】
しかしながら、上記した特許文献１，２のような従来技術では、近年、日本各地で頻発している大地震による振動のような過大な力と変位が加わることまでは想定していなかった。
【０００６】
そこで、本発明は、大地震による振動のような過大な力と変位が加わった際も、戸の支持用の軸部材が抜けて戸が転倒してしまうのを防止することができる、戸の軸部材抜止構造、及びこの軸部材抜止構造を備えた戸を提供することを目的としている。
【課題を解決するための手段】
【０００７】
前記目的を達成するために、本発明の第１の戸の軸部材抜止構造は、戸の支持用の軸部材が抜けて戸が転倒してしまうのを防止する、戸の軸部材抜止構造であって、前記戸の上面部に上方に向けて突出するように設けられた前記軸部材の突出部分に拡径部が形成されており、前記軸部材の先端部が戸枠に設けられた上レール内の軸受穴に嵌め込まれているとともに、前記戸枠に固定された上側抜止部材の切欠部に前記拡径部が上方となるように前記軸部材が嵌め込まれて、前記拡径部の前記切欠部より下方への移動が規制されていることを特徴とする。
【０００８】
ここで、前記軸部材は、上側が開口したケーシング部と、当該ケーシング部内に付勢力付与手段により付勢力がされて収納された軸本体部とから成り、当該軸本体部が前記突出部分とされているとよい。
【０００９】
また、前記軸部材の前記ケーシング部が前記戸内に埋め込まれているとともに、前記戸の上面部に前記ケーシング部の上面を押え付け、前記ケーシング部の上方への移動を規制する下側抜止部材が前記戸に固定されているとよい。
【００１０】
さらに、前記軸部材の前記ケーシング部の上側に拡径部が設けられているともに、前記下側抜止部材に切欠部が形成され、当該切欠部に前記軸本体部が嵌め込まれているとよい。
【００１１】
本発明の第２の戸の軸部材抜止構造は、戸の支持用の軸部材が抜けて戸が転倒してしまうのを防止する、戸の軸部材抜止構造であって、前記戸の上面部に上方に向けて突出するように設けられた前記軸部材の先端部が戸枠に設けられた上レール内の軸受穴に嵌め込まれているとともに、前記軸部材は、上側が開口したケーシング部と、当該ケーシング部内に付勢力付与手段により付勢力がされて収納された軸本体部とから成り、前記軸部材の前記ケーシング部が前記戸内に埋め込まれているとともに、前記戸の上面部に前記ケーシング部の上面を押え付け、前記ケーシング部の上方への移動を規制する下側抜止部材が前記戸に固定されていることを特徴とする。
【００１２】
ここで、前記軸部材の前記ケーシング部の上側に拡径部が設けられているともに、前記下側抜止部材に切欠部が形成され、当該切欠部に前記軸本体部が嵌め込まれているとよい。
【００１３】
本発明の戸は、上記した戸の軸部材抜止構造を備えていることを特徴とする。
【発明の効果】
【００１４】
このような本発明の第１の戸の軸部材抜止構造は、戸の支持用の軸部材が抜けて戸が転倒してしまうのを防止する、戸の軸部材抜止構造であって、戸の上面部に上方に向けて突出するように設けられた軸部材の突出部分に拡径部が形成されており、軸部材の先端部が戸枠に設けられた上レール内の軸受穴に嵌め込まれているとともに、戸枠に固定された上側抜止部材の切欠部に拡径部が上方となるように軸部材が嵌め込まれて、拡径部の切欠部より下方への移動が規制された構成とされている。
【００１５】
こうした構成なので、特に、大地震による振動のような過大な力と変位が戸の下方に向かって加わった際も、上側抜止部材により、拡径部の切欠部より下方への移動が規制されるため、戸の支持用の軸部材が下方へ抜けて戸が転倒してしまうのを防止することができる。
【００１６】
ここで、軸部材は、上側が開口したケーシング部と、ケーシング部内に付勢力付与手段により付勢力がされて収納された軸本体部とから成り、軸本体部が突出部分とされている場合は、付勢力付与手段による付勢力を利用して、軸部材の先端部である軸本体部の先端部を上レール内の軸受穴に容易に嵌め込むことができる。
【００１７】
また、軸部材のケーシング部が戸内に埋め込まれているとともに、戸の上面部にケーシング部の上面を押え付け、ケーシング部の上方への移動を規制する下側抜止部材が戸に固定されている場合は、大地震による振動のような過大な力と変位が戸の上方に向かって加わった際や下方に向かって加わった際に反力としてケーシング部に大きな引抜力が加わったときも、下側抜止部材により、戸からのケーシング部の上方への移動が規制されるため、戸の支持用の軸部材が上方へ抜けて戸が転倒してしまうのを防止することができる。
【００１８】
さらに、軸部材のケーシング部の上側に拡径部が設けられているともに、下側抜止部材に切欠部が形成され、切欠部に軸本体部が嵌め込まれている場合は、ケーシング部の上面と下側抜止部材の下面との接触面積が大きくなるので、軸部材の戸からの抜止効果をより高めることができる。
【００１９】
このような本発明の第２の戸の軸部材抜止構造は、戸の支持用の軸部材が抜けて戸が転倒してしまうのを防止する、戸の軸部材抜止構造であって、戸の上面部に上方に向けて突出するように設けられた軸部材の先端部が戸枠に設けられた上レール内の軸受穴に嵌め込まれているとともに、軸部材は、上側が開口したケーシング部と、ケーシング部内に付勢力付与手段により付勢力がされて収納された軸本体部とから成り、軸部材のケーシング部が戸内に埋め込まれているとともに、戸の上面部にケーシング部の上面を押え付け、ケーシング部の上方への移動を規制する下側抜止部材が戸に固定された構成とされている。
【００２０】
こうした構成なので、特に、大地震による振動のような過大な力と変位が戸の上方に向かって加わった際も、下側抜止部材により、戸からのケーシング部の上方への移動が規制されるため、戸の支持用の軸部材が上方へ抜けて戸が転倒してしまうのを防止することができる。
【００２１】
ここで、軸部材のケーシング部の上側に拡径部が設けられているともに、下側抜止部材に切欠部が形成され、切欠部に軸本体部が嵌め込まれている場合は、ケーシング部の上面と下側抜止部材の下面との接触面積が大きくなるので、軸部材の戸からの抜止効果をより高めることができる。
【００２２】
このような本発明の戸は、上記した戸の軸部材抜止構造を備えた構成とされている。
【００２３】
こうした構成なので、上記した戸の軸部材抜止構造の効果を奏する戸とすることができる。
【図面の簡単な説明】
【００２４】
【図１】実施例の軸部材抜止構造を備えた戸の概略構成を示す説明図である。
【図２】軸部材の詳細を示す説明図である。
【図３】図１におけるＡ−Ａ線矢視断面図である。
【図４】下側抜止部材の詳細を示す説明図である。
【図５】図１におけるＢ−Ｂ線矢視断面図である。
【図６】上側抜止部材の詳細を示す説明図である。
【発明を実施するための形態】
【００２５】
以下、本発明を実施するための形態を、図面に示す実施例に基づいて説明する。
【実施例】
【００２６】
先ず、実施例の構成について説明する。
【００２７】
図１は、実施例の軸部材抜止構造を備えた戸としての折戸１の概略構成を示している。
【００２８】
この図１は、非居室側（収納側）から折戸１の吊元、即ち、軸部材６が上レール３に沿って移動しない部分を見たものである。
【００２９】
まず、不図示の壁又は天井に固定された上側の戸枠２１の下端面には、この下端面の長手方向に沿って長尺で溝形の上レール３が溝部を下向きとして、左右側の戸枠２２の端面近傍まで設けられている。
【００３０】
ここで、上レール３の溝部内には、所謂ピボット受材である軸受材４がその端部で固定部３１にボルト４０により固定されている。
【００３１】
この軸受材４には、その略中央部に下方に向いた軸受穴４１が形成されているとともに、その右端部から軸受穴４１に向かって下る傾斜面４２が形成されている。
【００３２】
一方、戸（戸板）５の軸受穴４１の下方の対応する位置には、所謂ピボットである軸部材６の下部が埋め込まれて設けられている。
【００３３】
この軸部材６は、図２に示したように、上側が開口した筒状のケーシング部６１と、このケーシング部６１の内部に下部が収納された軸本体部６２とから主に構成されている。
【００３４】
ここで、ケーシング部６１の内部では、このケーシング部６１の底部と軸本体部６２の下部とが付勢力付与手段としてのバネ部材６３により連結されている。
【００３５】
また、ケーシング部６１の上側には、拡径部６１ａが形成されている。
【００３６】
さらに、軸本体部６２の先端部（上端部）よりもやや下側には、拡径部６２ａが形成されている。
【００３７】
そして、戸５の上面部では、図３に示したように、右側を向いた切欠部７ａに軸部材６の軸本体部６２を嵌め込んだ状態で切欠７ａの幅より径の大きな拡径部６１ａの上面を押え付ける下側抜止部材７がネジ７０により固定して設けられている。
【００３８】
この下側抜止部材７は、図４に示したように、切欠部７ａが形成された端部とは反対側の端部近傍にネジ孔７ｂが形成されており、また、切欠部７ａの入口側の側部には、ケーシング部６１の上側の拡径部６１ａの側面を押えるリップ部７ｃ，７ｃが形成されており、さらには、縁部近傍に断面二次モーメントを大きくして部材強度を高めるための湾曲突出部７ｄ，７ｄが形成されている。
【００３９】
このような状態で、戸枠２１，２２内で戸５を左側にスライドさせると、図１に示したように、軸部材６の先端部である軸本体部６２の先端部が軸受材４の傾斜面４２に案内され、その後、バネ部材６３の付勢力により軸受穴４１に嵌り込む。
【００４０】
そして、図５に示したように、上側抜止部材８の抜止板部８１の左側を向いた方の切欠部８ａに切欠８ａの幅より径の大きな拡径部６２ａが上方となるように軸部材６の軸本体部６２を嵌め込み、さらに、上側抜止部材８の固定板部８２をネジ８０，８０により上側の戸枠２１に固定すると、図１に示したこの実施例の軸部材抜止構造が仕上がる。
【００４１】
なお、この上側抜止部材８は、図６に示したように、固定板部８２に形成されたネジ孔８ｂ，８ｂは、ネジ８０，８０による固定時に微調整を可能とするため、水平方向に長い長孔とされているとともに、固定板部８２の左右縁部には、部材強度を高めるためのリップ部８３，８３が形成されている。
【００４２】
次に、実施例の作用効果について説明する。
【００４３】
このような実施例の軸部材抜止構造は、戸としての折戸１の支持用の軸部材６が抜けて戸５が転倒してしまうのを防止する、戸の軸部材抜止構造である。
【００４４】
そして、戸５の上面部に上方に向けて突出するように設けられた軸部材６の突出部分である軸本体部６２に拡径部６２ａが形成されており、軸部材６の先端部が上側の戸枠２１に設けられた上レール３内の軸受穴４１に嵌め込まれているとともに、上側の戸枠２１に固定された上側抜止部材８の切欠部８ａに拡径部６２ａが上方となるように軸部材６の軸本体部６２が嵌め込まれて、拡径部６２ａの切欠部８ａより下方への移動が規制された構成とされている。
【００４５】
こうした構成なので、特に、大地震による振動のような過大な力と変位が戸５の下方に向かって加わった際も、上側抜止部材８により、拡径部６２ａの切欠部８ａより下方への移動が規制されるため、折戸１の支持用の軸部材６が下方へ抜けて戸５が転倒してしまうのを防止することができる。
【００４６】
ここで、上側抜止部材８は、切欠部８ａ，８ａが逆向きとなるように左右対称の形状とされているとともに、非居室側（収納側）に設けられている。
【００４７】
このため、この上側抜止部材８は、左側だけでなく、右側にも用いることができるうえに、居室側から見ると、上側抜止部材８は戸５で隠れるので、意匠的外観が良い。
【００４８】
また、軸部材６のケーシング部６１が戸５内に埋め込まれているとともに、戸５の上面部にケーシング部６１の上面を押え付け、ケーシング部６１の上方への移動を規制する下側抜止部材７が戸５に固定されている。
【００４９】
このため、大地震による振動のような過大な力と変位が戸５の上方に向かって加わった際や下方に向かって加わった際に反力としてケーシング部６１に大きな引抜力が加わったときも、下側抜止部材７により、戸５からのケーシング部６１の上方への移動が規制されるため、折戸１の支持用の軸部材６が上方へ抜けて戸５が転倒してしまうのを防止することができる。
【００５０】
さらに、軸部材６のケーシング部６１の上側に拡径部６１ａが設けられているともに、下側抜止部材７に切欠部７ａが形成され、切欠部７ａに軸本体部６２が嵌め込まれている。
【００５１】
このため、ケーシング部６１の上面と下側抜止部材７の下面との接触面積が大きくなるので、軸部材６の戸５からの抜止効果をより高めることができる。
【００５２】
このような実施例の戸としての折戸１は、上記した実施例の戸の軸部材抜止構造を備えた構成とされている。
【００５３】
こうした構成なので、上記した実施例の戸の軸部材抜止構造の作用効果を奏する折戸１とすることができる。
【００５４】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５５】
例えば、上記した実施例では、上側抜止部材８と下側抜止部材７との両方を用いて実施したが、これに限定されず、いずれか一方のみを用いて実施してもよい。
【００５６】
また、上記した実施例では、軸部材抜止構造を、折戸１に適用して実施したが、これに限定されず、例えば、開戸等に適用して実施してもよい。
【００５７】
また、上記した実施例では、戸枠２１，２２を壁又は天井に固定して実施したが、これに限定されず、戸枠として、壁又は天井そのものを利用して実施してもよい。即ち、壁又は天井そのものに上レール３を直接設けて実施してもよい。
【００５８】
さらに、上記した実施例では、上側抜止部材８を左右共通に使用できるように左右対称の形状にして実施したが、これに限定されず、左右の片側のみに切欠部８ａを設けるなどして左右非対称の形状にして実施してもよい。
【符号の説明】
【００５９】
１      折戸（戸）
２１    上側の戸枠
２２    左右側の戸枠
３      上レール
３１    固定部
４      軸受材
４０    ボルト
４１    軸受穴
４２    傾斜面
５      戸（戸板）
６      軸部材
６１    ケーシング部
６１ａ  拡径部
６２    軸本体部
６２ａ  拡径部
６３    バネ部材（付勢力付与手段）
７      下側抜止部材
７ａ    切欠部
７ｂ    ネジ孔
７ｃ    リップ部
７ｄ    湾曲突出部
７０    ネジ
８      上側抜止部材
８ａ    切欠部
８ｂ    ネジ孔
８０    ネジ
８１    抜止板部
８２    固定板部
８３    リップ部
【図１】
2014005701.tif 000003
【図２】
2014005701.tif 000004
【図３】
2014005701.tif 000005
【図４】
2014005701.tif 000006
【図５】
2014005701.tif 000007
【図６】
2014005701.tif 000008